(57)【要約】熱活性化織物トリートメント組成物は、３−７５重量％の１種または複数の織物トリートメント有効成分と、１０−５０重量％の水と、５−４０重量％の油と、場合によっては２−３０重量％の非イオン性界面活性剤とを含む。組成物は、タンブル乾燥機の内側パネルに取り付けられて使用されるディスペンスデバイスから供給される。【特許請求の範囲】
【請求項１】
（ａ）３−７５重量％の１種または複数の織物トリートメント有効成分と、
（ｂ）１０−５０重量％の水と、
（ｃ）５−４０重量％の油と、
（ｄ）場合によっては２−３０重量％の非イオン性界面活性剤と、
を含む熱活性化織物トリートメント組成物。
【請求項２】
織物トリートメント有効成分が第四アンモニウム材料である請求項１に記載の熱活性化織物コンディショニング組成物。
【請求項３】
油が植物基材の天然油を含む請求項１または２に記載の熱活性化織物コンディショニング組成物。
【請求項４】
油が揮発性シリコーン油を含む請求項１から３のいずれか一項に記載の熱活性化織物コンディショニング組成物。
【請求項５】
非イオン性界面活性剤が１２−２０個のＥＯ基を有しているエトキシル化アルコールを含む請求項１から４のいずれか一項に記載の熱活性化織物コンディショニング組成物。
【請求項６】
織物トリートメント有効成分対非イオン性界面活性剤の重量比が１００：１−１：３の範囲内である請求項１から５のいずれか一項に記載の熱活性化織物コンディショニング組成物。
【請求項７】
織物トリートメント有効成分対非イオン性界面活性剤の重量比が５０：１−１：２の範囲内である請求項１から６のいずれか一項に記載の熱活性化織物コンディショニング組成物。
【請求項８】
織物トリートメント有効成分対非イオン性界面活性剤の重量比が５：１−１：１の範囲内である請求項１から７のいずれか一項に記載の熱活性化織物コンディショニング組成物。
【請求項９】
ディスペンスデバイスに収容された請求項１に記載の熱活性化組成物を含む包装品。
【請求項１０】
タンブル乾燥機の扉の内側パネルに請求項９に記載の包装品を配置する段階と、タンブル乾燥機に織物類を挿入する段階と、織物類をコンディショニングするために乾燥中の織物類に織物トリートメント組成物の少なくとも一部分がデバイスからディスペンスされるように乾燥機を作動させる段階とを含むタンブル乾燥機内の織物類のコンディショニング方法。
【発明の詳細な説明】
【技術分野】
【０００１】
本発明は織物トリートメント組成物に関する。より特定的には本発明は、タンブル乾燥機で使用するための熱活性化織物トリートメント組成物に関する。
【背景技術】
【０００２】
タンブル乾燥機内の織物類をトリートメントするために、乾燥される洗濯物と一緒に１種または複数のコンディショニング剤を投入することは公知である。例えば、織物類に柔軟仕上げ効果を与えるために、通常は固体状の織物コンディショニング剤を担持する可撓性基板を織物類と一緒にタンブル乾燥機に投入することはカナダ特許第１，００５，２０４号から公知である。しかしながら、織物類と含浸基板とが交ざり合うと、コンディショナーが均等に分配されないという危険がある。更に、織物類と一緒に含浸基板を投入したときには、タンブル乾燥機トリートメントの完了後に織物類から基板を分離する必要がある。基板を探し出すことが容易ではないので、この分離にはしばしば時間がかかる。
【０００３】
このような製品の別の欠点は、基板が織物類に絡まってしまうと製品の分配が不均一になり、このため織物類に油染みが付いてしまうこと（汚染）、及び、このような基板はタンブル乾燥機の通風孔に集まり易い傾向があり、このためタンブル乾燥機の乾燥サイクル中に織物類に対して有益な効果が実質的に全く与えられないことである。更に、これらの製品は一回限りの使い捨て製品として設計されており、従って、毎回のサイクル後に補充することが必要である。更に、基板から織物類への香料の移譲がしばしば不十分であり、その結果として消費者は適正量の香料が移譲されるように追加の基板を使用することになり、これは資源の浪費である。
【０００４】
これらの問題を克服するために、例えば英国特許第２，０６６，３０９号及び米国特許第３，６３４，９４７号は、基板をタンブル乾燥機壁に取り付ける手段を含むコンディショナーディスペンス製品の使用を示唆した。別の提案、例えば英国特許第１，３９９，７２８号に開示されている提案は、コンディショニング製品をタンブル乾燥機壁に取り付ける独立手段の使用を含む。
【０００５】
あるいは、欧州特許ＥＰ−Ｂ−３６１５９３は、織物コンディショニング製品が基板と織物コンディショニング組成物との組合せを含み、基板が特定された気孔率及び気泡計測値をもつ多孔質材料から成る製品に関する。欧州特許ＥＰ−Ｂ−３６１５９３の製品はタンブル乾燥機壁に付着するように設計されている。
【０００６】
米国特許第４０５３９９２号は、タンブル乾燥機の扉に装着されシートから織物コンディショナーを配給する半球形デバイスを開示している。
【０００７】
米国特許第５７８７６０６号は、タンブル乾燥機用シートのロールを収納しておりタンブル乾燥機の扉に配置されるディスペンサーを開示している。
【０００８】
国際特許公開ＷＯ−Ａ−９７／４２２９０は、タンブル乾燥機の扉またはドラムの表面に取り付けられた簡便なアプリケーターによって配給され得る固体組成物を開示している。
【０００９】
米国特許第５０４０３１１号は、慣用の水性織物コンディショナーを配給するためにタンブル乾燥機内部で使用されるデバイスを開示している。該特許では、織物コンディショナーが外側に移行してデバイスの表面に到達し、乾燥機の熱及び回転の作用によって洗濯衣類に取り込まれる。織物類を“湿潤させる”このような液体織物コンディショナーによる汚染についても言及されている。
【００１０】
米国特許第５９６６８３１号は、タンブル乾燥機の内部で使用するためのマイクロカプセル化流体を含浸した泡担体を開示している。機械的作用及び熱作用によってマイクロカプセルが破壊される。
【００１１】
米国特許第４６４２９０８号は、正確に計量された量の流体を配給するためにタンブル乾燥機のドラムの非回転ヘッドに取り付けられた弁収納デバイスを開示している。
【００１２】
米国特許第４０１４１０５号は、タンブル乾燥機の内部で使用するための多数開口をもつデバイスを開示している。水性液体コンディショナーが記載されているが、製品は永久に液体状態であり、従って、保存中にディスペンスデバイスから漏れるという問題に対処できない。
【００１３】
欧州特許公開ＥＰ−Ａ２−０５３９０２５は、織物コンディショニング用着香料マイクロカプセルを開示している。マイクロカプセルを噴霧乾燥し、タンブル乾燥機用製品に組込む。
【００１４】
欧州特許公開ＥＰ−Ａ１−０４５９８２１は液体織物コンディショニング組成物及び全自動洗濯機乾燥機に使用する織物類コンディショニング製品を開示している。液体組成物は熱活性化組成物でなく、タンブル乾燥機用製品は水を含有しない。
【００１５】
米国特許第５４２５８８７号は、遊離水を殆どまたは実質的に全く含まない織物コンディショニング組成物を含むタンブル乾燥機用製品を開示している。
【００１６】
出願人らの同時係属出願である国際特許公開ＷＯ−Ａ１−０２／３３１６０及びＷＯ−Ａ１−０２／３３１６１には、タンブル乾燥機で織物類をトリートメントするための適当な製品が開示されている。本発明の組成物はこのようなデバイスに使用するために特に適当である。
【００１７】
乾燥サイクル中の織物類に有効物質を最適に配給するためには、タンブル乾燥機の加熱サイクルの温度よりも低温では実質的にディスペンス製品内部に維持され、タンブル乾燥機の加熱サイクル中に転移を生じてディスペンス製品から分出され得る織物トリートメント組成物を提供することが望まれる。
【００１８】
従って、容認できない不安定性を伴うことなくこのような転移を生じることが可能な織物トリートメント組成物を提供することが望まれる。組成物がこのようなサイクルの繰り返しに耐えられることが特に望まれる。
【００１９】
米国特許第４０１４４３２号は、回転乾燥機内の織物類トリートメント製品に関する。室温で通常は固体でありタンブル乾燥機の作動温度では十分に軟化して製品内部の多孔から押し出されるようなコンディショニング剤が開示されている。コンディショニング剤は好ましくは、非イオン性界面活性剤と混合された第四アンモニウム織物柔軟剤である。水性溶液または分散液についても極めて短く記載されており、実施例では、３−アルコイルオキシ−２−ヒドロキシプロピルトリメチルアンモニウムクロリドの１．８％水溶液またはラウリルジメチルアンモニオプロパンスルホネートの４．８％水溶液を含む組成物が開示されている。消費者が視認できる汚染の問題には言及されていない。
【００２０】
上述のようなデバイスから織物トリートメント組成物を効果的に配給するためには、組成物が配給温度（即ち、タンブル乾燥機の加熱温度）で流動性であることが要求される。本発明の発明者らは、液体状態で織物類に配給するのに適した織物トリートメント組成物に関する問題はトリートメント済みの織物にしみが残ることであるのを確認した。
【００２１】
織物の汚染に関しては米国特許第５０６６４１３号、第４０４９８５８号、国際特許公開ＷＯ−Ａ−９７／４２２９０及び米国特許第４１４９９７７号に記載されている。しかしながら、これらの記載は、タンブル乾燥機用シート状コンディショニング組成物による汚染だけに関連している。
【００２２】
汚染の問題は特に、実質的に液状の製品が家庭用タンブル乾燥機の加熱サイクル中に分配されることに付随する。このような理由から、液状の織物トリートメント組成物は通常は、タンブル乾燥機の加熱サイクルでなく洗濯機のすすぎサイクルで配給される。
【００２３】
理論によって制約されることは望まないが、出願人らは、このような目に見えるしみの原因は汚染織物表面からの光の反射が隣接の非汚染織物部分からの光の反射に比べて少ないことにあると考える。より特定的には、目に見えるしみの原因は、織物の繊維の屈折率と配給された組成物の屈折率との違いにある。
【００２４】
また、汚染のレベルは、配給された組成物が繊維間のスペースを満たしているかまたは繊維自体に塗織物されているかに左右されると考えられる。繊維間の空気が組成物で置換されているときは、これによって繊維と周囲の織物との屈折率の差が小さくなり、透過光が増加して反射光が減少するので、しみがいっそう目立つ。
【００２５】
目に見えるしみはまた、織物類に塗織物された組成物の厚み及び均一性の影響を受けると考えられる。組成物の薄い均一な塗織物が最も望ましい。従って、織物トリートメント組成物が塗織物をより薄くより均一に改善するような粘度及び表面張力などの特性を有することが特に望ましい。
【００２６】
しかしながら、液体は配給中に均一に分出及び分配されると考えられるので、液体として織物類に配給される組成物が望ましい。
【００２７】
従って、タンブル乾燥機の加熱サイクル中にディスペンスデバイスから液体として配給され、汚染の問題に対処できるような熱活性化織物トリートメント組成物を提供することが望まれる。
【００２８】
更に、静電防止効果を与える熱活性化織物トリートメント組成物を提供することが望まれる。更に、本発明の組成物を使用してトリートメントした織物類に対して良好な香料の持続性及び／または香料の体質化を与えることが望ましい。
【００２９】
更に、ディスペンスデバイスに保存でき高粘性の保存状態から低粘性の分出可能状態への反復サイクルに耐えることができ、タンブル乾燥機の加熱サイクル中に組成物の少なくとも一部分を織物類に配給するような熱活性化織物トリートメント組成物を提供することが望まれる。
【発明の開示】
【００３０】
本発明は上記の問題の１つまたは複数に対処し、上記効果の１つまたは複数を提供することを目的とする。
従って、本発明によれば、
（ａ）３−７５重量％の１種または複数の織物トリートメント有効成分と、
（ｂ）１０−５０重量％の水と、
（ｃ）５−４０重量％の油と、
（ｄ）場合によっては２−３０重量％の非イオン性界面活性剤と、
を含む熱活性化織物トリートメント組成物が提供される。
【００３１】
本発明の別の目的によれば、上記に定義の組成物をディスペンスデバイスに収容した包装品が提供される。
【００３２】
本発明は更に、熱活性化織物トリートメント組成物をディスペンスデバイスに供給する段階と、タンブル乾燥機の扉の内側パネルにディスペンスデバイスを配置する段階と、タンブル乾燥機に織物類を挿入する段階と、織物類をコンディショニングするために乾燥中の織物類に織物トリートメント組成物の少なくとも一部分がデバイスからディスペンスされるように乾燥機を作動させる段階とを含むタンブル乾燥機内の織物類のコンディショニング方法を提案する。
【００３３】
本発明の文脈で、“熱活性化”という用語は、組成物が家庭用タンブル乾燥機に使用するために適当であることを意味し、好ましくは、組成物が周囲温度、即ち、２０℃で実質的に固体であり、家庭用タンブル乾燥機の加熱温度で実質的に液体状態に転移することを意味する。
【００３４】
家庭用タンブル乾燥機の加熱温度が典型的には約４０℃−約８０℃の範囲内なので、組成物が３０℃よりも低温、より好ましくは３２℃よりも低温、最も好ましくは３５℃よりも低温、例えば３７℃よりも低温で実質的に固体であり、４５℃よりも高温、より好ましくは４０℃よりも高温、最も好ましくは３７℃よりも高温で実質的に液体または少なくとも移動性であるのが特に好ましい。５０℃よりも高温で組成物が完全に溶融するのが好ましい。
【００３５】
組成物が流動性になる温度を決定する１つの方法によれば、組成物のスリップ点が３０℃よりも高く５０℃よりも低い温度、より好ましくは３５℃よりも高く４７℃よりも低い温度、最も好ましくは３７℃よりも高く４５℃よりも低い温度であるのが望ましい。
【００３６】
組成物のスリップ点は、英国標準Ｂｒｉｔｉｓｈ  Ｓｔａｎｄａｒｄ  ＢＳ  ６８４  ｓｅｃｔｉｏｎ  １．３  １９９１  ＩＳＯ  ６３２１：１９９１（ＵＫ）に定義された方法で測定される。
【００３７】
製品形態
保存中には実質的にディスペンスデバイス内部に維持され、タンブル乾燥機の加熱サイクル中に織物類に配給され得る織物トリートメント組成物を提供するためには、組成物が熱サイクルの加熱温度またはそれに近い温度で保存状態から分出状態への転移を生じ得る粘度特性を有していることが重要である。即ち、組成物は好ましくは周囲温度で非流動性の高粘度物質（例えば固体、軟質固体またはゲル）であり、タンブル乾燥機の加熱温度で低粘度物質（例えば液体）になることが必要である。
【００３８】
最も好ましくは組成物が、周囲温度では非流動性ゲルまたはゲル様粘稠度を組成物に与えるネットワークを形成する結晶質状態を含む“ゲル”である。タンブル乾燥機の加熱温度では組成物が最も好ましくは透明なまたは等方性溶液を含む“ゾル”である。
【００３９】
理想的には加熱温度で組成物が単相であるか、または、多相であるならば分散相がディスペンスデバイスの典型的な膜の細孔サイズよりも小さい単位サイズを有している。典型的な膜は０．１−１０ミクロンの範囲の細孔サイズを有している。細孔サイズがこの範囲よりも顕著に小さいと、分出が難しくなり、細孔サイズがこの範囲よりも顕著に大きいと１サイクルあたり過度に多量の組成物が放出され、これによって汚染の危険が増す。
【００４０】
典型的には組成物が周囲温度で１００ｓ−１の剪断速度で３７５ｍＰａ．ｓを上回る粘度、より好ましくは４５０ｍＰａ．ｓを上回る粘度、最も好ましくは５００ｍＰａ．ｓを上回る粘度、例えば６００ｍＰａ．ｓを上回る粘度を有するであろう。周囲温度の組成物の粘度は、（必要ならば）組成物を溶融し、粘度計のカップに移し、次いでゆるやかな剪断を伴って室温に放冷することによって測定する。
【００４１】
家庭用タンブル乾燥機の加熱温度で組成物は典型的には１００ｓ−１で３５０ｍＰａ．ｓを下回る粘度、より好ましくは３００ｍＰａ．ｓを下回る粘度、最も好ましくは２５０ｍＰａ．ｓを下回る粘度、例えば２００ｍＰａ．ｓを下回る粘度を有するであろう。
【００４２】
Ｈａａｋｅ回転粘度計ＲＶ２０  ｃｕｐ  ａｎｄ  ｂｏｂ  ＮＶ１を使用して測定することができる。
【００４３】
織物類への組成物の配給を改善しかつ保存状態と分出状態との間のサイクル切り替えを円滑にすると共に最適な静電防止効果を与えるために、（１種または複数の）有効成分の担体系が水及び油を含む。場合によっては、担体系が更に非イオン性界面活性剤を含む。
【００４４】
水
本発明の組成物は水を含む。
【００４５】
本発明の組成物が水を基材とするという特性は汚染の抑制を助けると考えられ、これが実質的に非水性の従来のタンブル乾燥機用シートとの違いである。
【００４６】
水は、組成物の全重量を基準として１０−５０重量％、好ましくは１５−４０重量％、より好ましくは２０−３５重量％のレベルで存在する。
【００４７】
油
本発明の組成物中には１種または複数の油が存在する。
【００４８】
本発明の組成物では、油の存在下で香料の良好な移譲が行われることが知見された。
【００４９】
適当な油としては鉱油／炭化水素油、エステル油、糖エステル油、シリコーン油及び／または天然油例えば植物油がある。しかしながら、天然油または鉱油が好ましい。
【００５０】
鉱油は、実質的に炭素及び水素だけを含有する炭化水素油を含む。炭化水素油は好ましくは芳香族成分を実質的に含まず、完全に飽和している。適当な炭化水素油は、種々の枝分かれ度を有している種々の鎖長（例えばＣ８−Ｃ４０）の炭化水素の混合物を含み得る。炭化水素油は好ましくは脂肪族である。
【００５１】
好ましい鉱油としてはＭａｒｃｏｌシリーズの工業用油（Ｅｓｓｏ社）が挙げられるが、Ｓｉｒｉｕｓシリーズ（Ｆｕｃｈｓ社）、Ｓｅｍｔｏｌシリーズ（Ｇｏｌｄｓｃｈｍｉｄｔ社）、または、Ｍｅｒｋｕｒ  Ｔｅｃシリーズ（Ｍｅｒｋｕｒ  Ｖａｓｅｌｉｎｅ社）が特に好ましい。
【００５２】
鉱油の分子量は典型的には１００−４００の範囲である。
【００５３】
エステル油は疎水性である。このようなエステル油としては、炭化水素鎖に１−２４個の炭素原子を有している一価または多価アルコールの脂肪エステル、炭化水素鎖に１−２４個の炭素原子を有しているモノまたはポリカルボン酸がある。但し、エステル油中の炭素原子の総数は１６以上である、及び、炭化水素鎖の少なくとも１つが１２個以上の炭素原子を有しているという条件を満たしていなければならない。
【００５４】
適当なエステル油としては、実質的に飽和したエステル油（即ち、１０％未満の数の不飽和炭素−炭素結合を有している）、例えば、ＰＲＩＯＬＵＢＥＳ（Ｕｎｉｃｈｅｍａ社）がある。２−エチルヘキシルステアレート（ＰＲＩＯＬＵＢＥ  １５４５）、ネオペンチルグリコールモノメレート（ＰＲＩＯＬＵＢＥ  ２０４５）及びメチルラウレート（ＰＲＩＯＬＵＢＥ  １４１５）が特に好ましいが、オレイックモノグリセリド（ＰＲＩＯＬＵＢＥ  １４０７）及びネオペンチルグリコールジオレエート（ＰＲＩＯＬＵＢＥ  １４４６）も適当である。
【００５５】
その他の適当なエステル油としては、欧州特許公開ＥＰ−Ａ１−０７４６６０３に定義されているような脂肪酸グリセリドエステル、例えば、パーム油及びタロウ油が挙げられる。
【００５６】
適当な油性糖エステル化合物としては、国際特許公開ＷＯ−Ａ−９８／１６５３８に定義されているような糖エステル油が挙げられる。該特許は参照によって本発明に含まれるものとする。油性糖エステルは好ましくは、５−５０Ｐａ．ｓの粘度を有しており、好ましくは０．８−１．２ｇｃｍ−３、より好ましくは０．９−１ｇｃｍ−３、最も好ましくは０．９３−０．９９ｇｃｍ−３の密度を有している。
【００５７】
エステル油の粘度は、Ｈａａｋｅ回転粘度計ＲＶ２０  ＮＶ  ｃｕｐ  ａｎｄ  ｂｏｂを使用して温度２５℃、１０６ｓ−１で測定して０．００２−２．０Ｐａ．ｓ、より好ましくは０．００４−０．４Ｐａ．ｓであり、鉱油の密度は２５℃で０．８−０．９ｇ．ｃｍ−３であるのが好ましい。
【００５８】
適当なシリコーン油は低分子量、例えば１０００未満の分子量をもつ油を含む。好ましくは油が揮発性である。適当な市販のシリコーン油はＤｏｗ  Ｃｈｅｍｉｃａｌｓ社のＤＣ  ２４５である。
【００５９】
本発明に使用するための最も好ましい油は天然油、特に植物基材の油である。適当な植物基材の油としては、グレープシード油、ナタネ油、コムギ胚芽油、ヒマシ油、トウモロコシ油、綿実油、オリーブ油、ナタネ油、ベニバナ種油、ホホバ油、マツヨイグサ油、アボカド油及びティーツリー油（ｔｅａ  ｔｒｅｅ  ｏｉｌ）がある。これらの油は典型的な鉱油よりも高い極性及び不飽和レベルを有しており、このため単独でも織物トリートメント有効成分と併用されたときにも改善された静電防止効果を与えると考えられている。
【００６０】
上述の種類の油のいずれか一種または複数を使用し得るが、油が表面活性を実質的に全く有していないのが特に好ましい。
【００６１】
タンブル乾燥機の配給温度では油と水とが織物トリートメント有効成分の補助によって油中水型マイクロエマルジョンを形成すると考えられる。
【００６２】
マイクロエマルジョン組成物の予想外の効果は、伝統的なタンブル乾燥機用シートに比べて汚染の量がタンブル乾燥機の加熱サイクルあたりの組成物の配給量に左右されないことである。これは、米国特許第４１４９９７７号に開示されているような従来技術の系よりも有利である。該特許の系は典型的には、汚染をコントロールするために各サイクルで配給される組成物の量の完全なコントロールが維持されることに依存しなければならない。
油の存在はまた、織物類に対する香料の移譲を実質的に改善し、乾燥後のトリートメント済み織物類に対する香料の体質化及び持続性を改善することが知見された。
【００６３】
油は組成物の全重量を基準として５−４０重量％、好ましくは８−３５重量％、より好ましくは１０−３０重量％のレベルで存在する。
【００６４】
非イオン性界面活性剤
非イオン性界面活性剤は、組成物の溶融温度のコントロールを改善するため、または、少なくとも組成物が流動性になる温度に影響を与えるために存在し得る。
【００６５】
好ましい非イオン性界面活性剤は、周囲温度で固体であり、その結果として、織物類にいったん付着すると織物類からの光散乱を増加させこれによって織物類に付着した物質の目立ち易さを抑える。
【００６６】
更に、好ましい非イオン性界面活性剤は、８−２０、より好ましくは１０−２０の範囲内のＨＬＢを有している。これが加熱サイクルの上昇温度で水相中の有効成分（例えば、典型的には２０℃の水中で１×１０−３重量％未満の溶解度を有している織物柔軟剤）の溶解性を有意に改善するからである。
【００６７】
適当な非イオン性界面活性剤としては、エチレンオキシド及び／またはプロピレンオキシドと脂肪アルコール、脂肪酸及び脂肪アミンとの付加物がある。
【００６８】
理想的には、非イオン性界面活性剤が１分子あたり８−４０アルコキシ単位、より好ましくは１０−３０、もっと好ましくは１１−２５、例えば１２−２２アルコキシ単位という平均アルコキシ化度を含む。
【００６９】
本文中で後述する特定種類のアルコキシル化材料のいずれかを非イオン性界面活性剤として使用し得る。
【００７０】
適当な界面活性剤は一般式：
【００７１】
【化１】
2005522593.tif 000002
の実質的に水溶性の界面活性剤であり、
式中のＲは、第一、第二及び分枝状のアルキル及び／またはアシルヒドロカルビル基；第一、第二及び分枝状のアルケニルヒドロカルビル基；第一、第二及び分枝状のアルケニル置換フェノール系ヒドロカルビル基；炭素原子数８−約２５、好ましくは１０−２０、例えば１４−１８の鎖長を有しているヒドロカルビル基からなる群から選択される。ココ及びタロウまたは連鎖組成物が最も好ましい。
【００７２】
エトキシル化非イオン性界面活性剤を表す一般式中のＹは典型的には：
【００７３】
【化２】
2005522593.tif 000003
であり、式中のＲは上記と同義であるかまたは水素を表し、Ｚは好ましくは８−４０、より好ましくは１０−３０、最も好ましくは１１−２５、例えば１２−２２を表す。
【００７４】
アルコキシル化度Ｚは１分子あたりのアルコキシ基の平均数を表す。
【００７５】
非イオン性界面活性剤の具体例を以下に示す。これらの具体例で整数は分子中のエトキシ（ＥＯ）基の数を表す。
【００７６】
Ａ．直鎖状第一アルコールアルコキシレート
本発明の文脈では本文中に記載した範囲内のＨＬＢを有しているｎ−ヘキサデカノール及びｎ−オクタデカノールのデカ−、ウンデカ−、ドデカ−、テトラデカ−及びペンタデカエトキシレートが有用な粘度／分散性調節剤である。天然アルコール及び合成アルコールの混在する“タロウ”鎖長範囲のエトキシレートも本発明に有用である。このような材料の特定例は、タロウアルコール−ＥＯ（１１）、タロウアルコール−ＥＯ（１８）及びタロウアルコール−ＥＯ（２５）、ココアルコール−ＥＯ（１０）、ココアルコール−ＥＯ（１５）、ココアルコール−ＥＯ（２０）及びココアルコール−ＥＯ（２５）である。
【００７７】
Ｂ．直鎖状第二アルコールアルコキシレート
本発明の文脈では本文中に記載した範囲内のＨＬＢを有している３−ヘキサデカノール、２−オクタデカノール、４−エイコサノール及び５−エイコサノールのデカ−、ウンデカ−、ドデカ−、テトラデカ−、ペンタデカ−、オクタデカ−及びノナデカ−エトキシレートが有用な粘度／分散性調節剤である。組成物の粘度及び／または分散性調節剤として本発明に有用な代表的なエトキシル化第二アルコールは：Ｃ１６ＥＯ（１１）；Ｃ２０ＥＯ（１１）；及びＣ１６ＥＯ（１４）である。
【００７８】
Ｃ．アルキルフェノールアルコキシレート
アルコールアルコキシレートの場合と同様に、本文中に記載した範囲内のＨＬＢを有しているアルキル化フェノール、特に一価アルキルフェノールのヘキサ−からオクタデカ−までのエトキシレートが本発明の組成物の粘度／分散性調節剤として有用である。ｐ−トリ−デシルフェノール、ｍ−ペンタデシルフェノールなどのヘキサ−からオクタデカ−までのエトキシレートが本発明に有用である。本発明の混合物の粘度及び／または分散性調節剤として有用な代表的なエトキシル化アルキルフェノールはｐ−トリデシルフェノールＥＯ（１１）及びｐ−ペンタデシルフェノールＥＯ（１８）である。
【００７９】
本文中でも使用し当業界でも一般に認識されているように、非イオン性界面活性剤の式中のフェニレン基は２−４個の炭素原子を含んでいるアルキレン基と等価である。本発明の目的に適うフェニレン基含有の非イオン性界面活性剤は、アルキル基の炭素原子数に各フェニレン基あたり約３．３個の炭素原子を加算した和に等しい数の炭素原子を含むと考えられる。
【００８０】
フェノール系アルコキシレートが特に好ましい。その理由は、これらはタンブル乾燥機でトリートメントされた織物類に改善された静電防止効果を与えると考えられるからである。
【００８１】
Ｄ．オレフィン系アルコキシレート
第一及び第二のアルケニルアルコール並びに前項に開示したアルキルフェノールに対応するアルケニルフェノールは本文中に記載した範囲内のＨＬＢまでエトキシル化されて本発明の組成物の粘度及び／または分散性の調節剤として使用することができる。
【００８２】
オレフィン系アルコキシレートはフェノール系アルコキシレートと同じ理由で好ましい。
【００８３】
Ｅ．分枝鎖アルコキシレート
公知の“ＯＸＯ”法で得られる分枝鎖をもつ第一及び第二アルコールをエトキシル化し、本発明の組成物の粘度及び／または分散性の調節剤として使用できる。
【００８４】
分枝鎖をもつアルコキシレート及び第二アルコキシレートは本発明の範囲内であるが、アルコキシル化非イオン性界面活性剤はアルコキシル化直鎖状第一アルコールであるのが最も好ましい。
【００８５】
Ｆ．ポリオール基材の界面活性剤
適当なポリオール基材の界面活性剤としては、スクロースモノオレエート、スクロースモノステアレートまたはそれらの混合物のようなスクロースエステル、ココまたはステアリルモノグルコシド及びステアリルトリグルコシド及びアルキルポリグリセロールのようなポリグリセロール及びアルキルポリグルコシドがある。
【００８６】
上記の非イオン性界面活性剤は単独または併用で本発明組成物に使用でき、“非イオン性界面活性剤”という用語は、非イオン性界面活性剤の混合物を含意する。
【００８７】
スクロース基材の界面活性剤が極めて好適である。その理由は、それらが別のアルコキシレートに比べて高い水和状態を有するからである。
【００８８】
非イオン性界面活性剤は、組成物の全重量を基準として２−３０重量％、好ましくは５−２０重量％、最も好ましくは５−１５重量％の範囲内の量で存在する。
【００８９】
溶媒
場合によって組成物が（１種または複数の）有効成分の溶媒を含み、また、溶媒を含むのが有利である。溶媒は組成物の粘度及び流動温度特性を更に最適にする。加えて、溶媒は保存中の組成物から水分が失われることを遅らせる保湿剤として作用する。
【００９０】
好ましくは溶媒が半極性である。
【００９１】
適当な溶媒は、タンブル乾燥機の加熱温度よりも高温の引火点を有しているいかなる溶媒でもよい。理想的には溶媒がまた無臭である。
【００９２】
市販の例はポリオールである。グリコールエーテルのようなグリコール基材の溶媒が特に好ましい。最も好ましい溶媒はジプロピレングリコールである。
【００９３】
溶媒は好ましくは、組成物の全重量を基準として、１−２５重量％、より好ましくは２−２０重量％、最も好ましくは３−１０重量％のレベルで存在する。
【００９４】
好ましくは非イオン性界面活性剤対溶媒の重量比が１：１−１５：１、より好ましくは３：２−８：１、最も好ましくは２：１−６：１である。
【００９５】
非イオン性界面活性剤と場合によっては存在する溶媒とを合わせた量が好ましくは組成物の５０重量％未満、より好ましくは４７重量％未満、最も好ましくは４５重量％未満である。
【００９６】
織物トリートメント有効成分
洗濯作業のすすぎサイクルまたはタンブル乾燥サイクル中に典型的に配給されるどのような有効成分も本発明の組成物中の使用に適している。
【００９７】
好ましくは、織物トリートメント有効成分が非イオン性界面活性剤に対して過剰重量、より好ましくは過剰モル量で存在する。
【００９８】
理想的には、織物トリートメント有効成分対非イオン性界面活性剤のモル比が、５０：１−１：１、より好ましくは３０：１−２：１、最も好ましくは２５：１−２：１、例えば５：１−２：１の範囲内である。
【００９９】
好ましくは、織物トリートメント有効成分対非イオン性界面活性剤の重量比が、１００：１−１：３、より好ましくは５０：１−１：２、最も好ましくは２５：１−１：１、例えば５：１−１：１の範囲内である。
【０１００】
常用の有効成分の例を以下に示す。すべての有効成分を網羅してはいない。本発明の組成物に使用するための同等に適当な有効成分が他にも存在することが当業者には理解されよう。
【０１０１】
静電防止剤
適当な静電防止剤は、グリセロール及び酢酸カリウムのような保湿剤、塩化リチウムのような無機塩、トリエタノールアミンのようなアミンである。イオン化性静電防止剤は非イオン化性静電防止剤よりも有効であると考えられており、従って、静電防止剤が相対湿度４０％未満の環境と平衡した溶液を形成するために十分に吸湿性であるのが望ましい。
【０１０２】
特に好ましい静電防止剤は、８０％以下の脂肪酸を含有するＮＨ４ＤＥＦＩ／脂肪酸系、２５／７５ＬＡＳ／脂肪酸系、１つまたは複数のアルキル基がポリ（オキシエチレン）基で置換された第四アンモニウム化合物、ペル第四級化アルキレン−ジアミン誘導体、ポリ（オキシエチレン）基を含有するポリアミン、ＰＥＧ６００、米国特許第４０５８４８９号に記載されているような好ましくは双方の界面活性剤が共有結合した非イオン性界面活性剤とカチオン性界面活性剤との組合せ、Ｔｅｘｔｉｌｅ  Ｍｏｎｔｈ  Ｍａｙ  １９８３，２２に記載されているような第四アンモニウム材料と非イオン性界面活性剤との組合せ、トリ−メチルベンジルアンモニウムクロリド、トリ−オクチルアンモニウムクロリド、トリ−メチルベンジルアンモニウムクロリド、Ｇａｆｓｔａｔ  Ｓ１００（Ｇａｆ  Ｃｏｒｐ．製）、Ａｌｕｂｒａｓｏｌ  ＭＭ（Ｊｏｒｄａｎ  Ｃｈｅｍ．Ｃｏ．製）、好ましくはジ−オクチルジメチルアンモニウムブロミドと組み合わせたテトラブチルアンモニウムブロミド、米国特許第３９５１８７９号に記載されているような第四アンモニウム材料とマグネシウム塩またはカルシウム塩（ＣａＣｌ２、ＣａＳＯ４、ＭｇＳＯ４）との組合せ、米国特許第４０４９５５７号に記載されているような高級アルキル−１，２−エポキシドと低級アルカンジアミンとの反応によって生成したモノ−及びジ−置換アルカンジアミンの混合物、米国特許第３７２５４７３号に記載されているようなＮ−置換イミノジカルボキシレート、米国特許第３９６２１００号に記載されているような式Ｒ１Ｒ２ＮＨ２＋Ｏ（Ｏ）ＣＮＲ３Ｒ４のアルキルアンモニウムカーバメート［式中のＲ１は水素または例えば原子数１−２２のアルキル基；Ｒ２は炭素原子数１０以上（好ましくは１０−２２）のアルキル基；Ｒ３及びＲ４の各々は水素またはアルキル基（炭素数１−２２）を表す］、米国特許第３８４４９５２号に記載されているような式−［Ｎ（Ｒ′）（ＣＨ２）ｙ］ｚ−［式中のｙは１−４の整数、好ましくは２；ｚは１よりも大きい整数、好ましくは２０−１００００；Ｒ′は水素、好ましくは炭素原子数１２−１８のアルキル及びアルカノイル置換基から成るグループから選択される］で表され、好ましくは窒素原子の１０−２０％がアルキル及びアルカノイル置換基で置換されているポリアルキルエチレンイミン、米国特許第３９５９１５７号に記載されているようなモノ−またはジ−長鎖アルキルイミダゾリニウム化合物、米国特許第４０５８４８９号に記載されているような非イオン性、カチオン性及びアニオン性の界面活性剤の混合物である。
【０１０３】
織物柔軟剤
適当な織物柔軟剤としては、第四アンモニウム織物柔軟剤及びイミダゾリンのようなカチオン性界面活性剤並びに非イオン性織物柔軟剤がある。
【０１０４】
織物トリートメント有効成分がカチオン性界面活性剤を含むとき、非イオン性界面活性剤が存在するのが好ましい。非イオン性界面活性剤は、カチオン性界面活性剤によるマイクロ−エマルジョンの形成を補助し、これによって有効成分の溶解を促進する。これが活性化組成物の流動性を向上させ、織物類への付着を改善する。
【０１０５】
織物柔軟剤が第四アンモニウム織物柔軟剤であるならば、この柔軟剤は、好ましくは少なくとも１個のエステルリンクを介して窒素ヘッド基に結合された２個のＣ１２−２８アルキル基またはアルケニル基を有しているのが好ましい。第四アンモニウム材料に２個のエステルリンクが存在しているならばより好ましい。
【０１０６】
好ましくは、アルキル基またはアルケニル基の平均鎖長は少なくともＣ１４、より好ましくは少なくともＣ１６である。最も好ましくは鎖の少なくとも半量がＣ１８の長さを有している。
【０１０７】
一般には、アルキル鎖またはアルケニル鎖が主として線状であるのが好ましい。
【０１０８】
本発明に使用するためのカチオン性織物柔軟化合物の第一グループは、式（Ｉ）：
【０１０９】
【化３】
2005522593.tif 000004
によって表され、式中のＲの各々は独立にＣ５−３５のアルキル基またはアルケニル基から選択され、Ｒ１はＣ１−４アルキル基、Ｃ２−４アルケニル基またはＣ１−４ヒドロキシアルキル基を表し、Ｔは、
【０１１０】
【化４】
2005522593.tif 000005
であり、ｎは０であるかまたは１−４から選択された整数を表し、ｍは１、２または３であり、このｍはＮ原子に直結した側鎖部分の数を表し、Ｘ−はハロゲン化物またはアルキルスルフェートのようなアニオン性基、例えば、塩化物、メチルスルフェートまたはエチルスルフェートを表す。
【０１１１】
このクラスの特に好ましい材料は、トリエタノールアンモニウムメチルスルフェートのジ−アルケニルエステルである。市販例は、いずれもＫａｏの製品であるＴｅｔｒａｎｙｌ  ＡＨＴ−１（トリエタノールアンモニウムメチルスルフェートのジ硬化オレイックエステル、８０％有効成分）、ＡＴ−１（トリエタノールアンモニウムメチルスルフェートのジ−オレイックエステル、９０％有効成分）、Ｌ５／９０（トリエタノールアンモニウムメチルスルフェートのパームエステル、９０％有効成分）、並びに、Ｗｉｔｃｏ  Ｃｏｒｐｏｒａｔｉｏｎの製品であるＲｅｗｏｑｕａｔ  ＷＥ１５（Ｃ１０−Ｃ２０及びＣ１６−Ｃ１８の不飽和脂肪酸とトリエタノールアミンジメチルスルフェート第四級化化合物との反応生成物、９０％有効成分）である。
【０１１２】
本発明に使用するための第二グループのカチオン性織物柔軟化合物は式（ＩＩ）：
【０１１３】
【化５】
2005522593.tif 000006
によって表され、式中のＲ１基の各々は独立にＣ１−４アルキル基、ヒドロキシアルキル基またはＣ２−４アルケニル基から選択され；Ｒ２基の各々は独立にＣ８−２８のアルキル基またはアルケニル基から選択され；ｎは０であるかまたは１−５の整数であり、Ｔ及びＸ−は上記の定義と同義である。
【０１１４】
１，２−ビス［タロウオイルオキシ］−３−トリメチルアンモニウムプロパンクロリド及び１，２−ビス［オレイルオキシ］−３−トリメチルアンモニウムプロパンクロリドのようなこのクラスの好ましい材料及びそれらの調製方法は例えば米国特許第４１３７１８０号（Ｌｅｖｅｒ  Ｂｒｏｔｈｅｒｓ）に記載されている。該特許の記載内容は参照によって本発明に含まれるものとする。好ましくはこれらの材料がまた、米国特許第４１３７１８０号に記載されているように少量の対応モノエステルを含む。
【０１１５】
本発明に使用するための第三グループのカチオン性織物柔軟化合物は式（ＩＩＩ）：
【０１１６】
【化６】
2005522593.tif 000007
によって表され、式中のＲ１基の各々は独立にＣ１−４アルキル基またはＣ２−４アルケニル基から選択され；Ｒ２基の各々は独立にＣ８−２８のアルキル基またはアルケニル基から選択され；ｎは０であるかまたは１−５の整数であり、Ｔ及びＸ−は上記の定義と同義である。このクラスの好ましい材料はＮ−Ｎ−ジ（タロウオイルオキシエチル）Ｎ，Ｎ−ジメチルアンモニウムクロリドである。
【０１１７】
本発明に使用するための第四グループのカチオン性織物柔軟化合物は式（ＩＶ）：
【０１１８】
【化７】
2005522593.tif 000008
によって表され、式中のＲ１基の各々は独立にＣ１−４アルキル基またはＣ２−４アルケニル基から選択され；Ｒ２基の各々は独立にＣ８−２８のアルキル基またはアルケニル基から選択され；Ｘ−は上記の定義と同義である。
【０１１９】
また、ある種の織物柔軟剤は織物類に静電防止効果も与え得ることを理解されたい。
【０１２０】
例えば、１分子あたり１つまたは複数のアルコキシレート基をもつ第四アンモニウム材料は、優れた柔軟効果と優れた静電防止効果との双方を織物類に与えると考えられている。
【０１２１】
同時に静電防止効果を与える織物柔軟剤が特に好ましい。
【０１２２】
織物トリートメント有効成分は組成物の全重量を基準として３−７５重量％（有効成分）、好ましくは４−６０重量％、より好ましくは５−５０重量％、最も好ましくは１０−４５重量％の量で存在する。
【０１２３】
親脂肪アシル基または酸のヨウ素価
第四アンモニウム織物柔軟材料の形成原料となる親脂肪アシル化合物または酸のヨウ素価は０−１４０、より好ましくは０−８０、最も好ましくは０−４０、例えば０−３５である。
【０１２４】
４未満のヨウ素価が特に望ましい。得られる有効成分が優れた柔軟効果を与えかつ保存中の悪臭の問題に対する抵抗性が大きいからである。また、ヨウ素価が低いほど汚染が抑制されると考えられる。
【０１２５】
しかしながら、５−３５のヨウ素価も適当である。得られる有効成分がタンブル乾燥機の加熱温度でいっそう容易に溶融し、改善された静電防止効果を与えるからである。
【０１２６】
第四アンモニウム材料が５−３５、例えば１０−２５のヨウ素価をもつ親脂肪酸またはアシル化合物を基材とする場合、非イオン性界面活性剤が完全飽和アルコキシル化アルコール、例えば硬化タロウ１５ＥＯを含むのが特に好ましい。
【０１２７】
本発明の文脈で、織物柔軟材料の形成原料となる親脂肪アシル化合物または酸のヨウ素価は、１００グラムの化合物と反応するヨウ素のグラム数であると定義される。
【０１２８】
親脂肪アシル化合物／酸のヨウ素価の計算方法は、規定量（０．１−３ｇ）を約１５ｍｌのクロロホルムに溶解する段階を含む。溶解した親脂肪アシル化合物／脂肪酸を次に２５ｍｌの一塩化ヨウ素（０．１Ｍ）の酢酸溶液と反応させる。これに、２０ｍｌの１０％ヨウ化カリウム溶液と約１５０ｍｌの脱イオン水とを加える。ハロゲンの付加が生じた後、余剰の一塩化ヨウ素を青色デンプン指示薬粉末の存在下にチオ硫酸ナトリウム溶液（０．１Ｍ）で滴定することによって測定する。同時に、ブランクを同量の試薬によって同じ条件下で測定する。ブランク中で消費されたチオ硫酸ナトリウムの容量と親脂肪アシル化合物または脂肪酸との反応で消費されたチオ硫酸ナトリウムの容量との差からヨウ素価を計算し得る。
【０１２９】
香料
本発明の組成物がまた１種または複数の香料を含むのが好ましい。適当な香料成分としては、１９６９年に著者によって出版されたＳｔｅｆｆｅｎ  Ａｒｃｔａｎｄｅｒの“Ｐｅｒｆｕｍｅ  ａｎｄ  Ｆｌａｖｏｒ  Ｃｈｅｍｉｃａｌｓ  （Ａｒｏｍａ  Ｃｈｅｍｉｃａｌｓ）”に開示された香料成分が挙げられる。該文献の記載内容は参照によって本発明に含まれるものとする。
【０１３０】
本発明の発明者らは、組成物を不安定にすることなく１０重量％までの香料を本発明の組成物に含有させ得ることを知見した。このようなレベルは市販のタンブル乾燥機用シートに存在するレベルよりも有意に高い。従って、本発明の組成物によって得られる香料の体質化及び持続性は伝統的なタンブル乾燥機用シートよりも優れている。
【０１３１】
脂肪成分
本発明の組成物は脂肪酸及び／または脂肪アルコールのような脂肪成分を含み得る。
【０１３２】
適当な脂肪酸／アルコールは、炭素原子数８−２６、より好ましくは１２−２２、最も好ましくは炭素原子数１２−２０のヒドロカルビル鎖長を有している。
【０１３３】
好ましい脂肪酸は、硬化タロウ脂肪酸（Ｕｎｉｑｅｍａ社から商標Ｐｒｉｓｔｅｒｅｎｅとして入手可能）である。
【０１３４】
好ましい脂肪アルコールは、硬化タロウアルコール（Ｃｏｇｎｉｓ社の商標Ｓｔｅｎｏｌ及びＨｙｄｒｅｎｏｌ、Ａｌｂｒｉｇｈｔ  ａｎｄ  Ｗｉｌｓｏｎ社のＬａｕｒｅｘ  ＣＳとして入手可能）、ベヘニルアルコール、Ｌａｎｅｔｔｅ  ２２（Ｈｅｎｋｅｌ社）として入手可能なＣ２２鎖アルコールである。
【０１３５】
脂肪酸及び／またはアルコールは好ましくは、組成物の全重量を基準として０．５−１５重量％、より好ましくは１−１０重量％、最も好ましくは１．５−７重量％の量で存在する。
【０１３６】
その他の補助有効成分
織物トリートメント有効成分に役立つその他の補助有効成分を組成物の全重量を基準として０．０１−２０重量％、より好ましくは０．０５−１０重量％の量で含有させてもよい。この種の好ましい成分としては脂肪エステル及び脂肪Ｎ−オキシドがある。
【０１３７】
好ましい脂肪エステルとしてはグリセロールモノステアレートのような脂肪モノエステルがある。ＧＭＳが存在する場合、組成物中のＧＭＳのレベルは組成物の全重量を基準として０．０１−１０重量％であるのが好ましい。
【０１３８】
高分子粘度コントロール剤
本発明の組成物中にはまた高分子粘度コントロール剤が存在し得る。適当な高分子粘度コントロール剤としては、非イオン性及びカチオン性のポリマー、例えば、疎水的に改質されたセルロースエーテル（例えば、Ｈｅｒｃｕｌｅｓ社のＮａｔｒｏｓｏｌ  Ｐｌｕｓ）、及び、カチオン的に改質されたデンプン（例えば、いずれもＡｖｅｂｅ社のＳｏｆｔｇｅｌ  ＢＤＡ及びＳｏｆｔｇｅｌ  ＢＤ）がある。特に好ましい粘度コントロール剤は、メタクリレートとカチオン性アクリルアミドとのコポリマーであり、Ｆｌｏｓｏｆｔ  ２００（ＳＮＦ  Ｆｌｏｅｒｇｅｒ社）として入手可能である。
【０１３９】
高分子粘度コントロール剤は好ましくは、組成物の全重量を基準として０．０１−５重量％、より好ましくは０．０２−４重量％の量で存在する。
【０１４０】
その他の任意成分
組成物はまた、織物コンディショニング組成物中で慣用の１種または複数の任意成分、例えば、ｐＨ緩衝剤、香料担体、蛍光剤、着色剤、抑泡剤、再付着防止剤、高分子電解質、酵素、蛍光増白剤、収縮防止剤、しわ防止剤、斑点防止剤、殺菌剤、殺真菌剤、腐食防止剤、ドレープ付与剤、アイロン補助剤及び染料を含み得る。
【実施例】
【０１４１】
次に本発明を以下の実施例によって説明する。本発明の範囲内のよりいっそうの変更は当業者に明らかであろう。
【０１４２】
本発明のサンプルは数字によって表す。比較用サンプルは文字によって表す。
【０１４３】
異なる記述がないならば全ての値は有効成分の重量％である。
【０１４４】
表１のサンプルを以下のごとく調製した。
【０１４５】
第四アンモニウム材料（ｑｕａｔ）と油と任意の溶媒とをビーカーで計量し、ホットプレートに載せて溶融するまで加熱した（約７０℃）。次に溶融混合物を撹拌しながら所定量の熱水（同じく約７０℃）をゆっくりと加えた。この混合物に香料を添加し、“透明な”液体になるまで撹拌を継続した。液体をびんに詰め、びんに入れてまたは回転ブレンダーに載せて放冷した。
【０１４６】
【表１】
2005522593.tif 000009
【０１４７】
表中の“＊”記号を付けた材料に関する量は溶媒を含む原料のレベルを表す。
【０１４８】
汚染評価
次に、表２に示した織物類で汚染評価を行った。
【０１４９】
【表２】
2005522593.tif 000010
【０１５０】
１．５ｋｇの洗濯物をＭｉｅｌｅ  Ｎｏｖｏｔｒｏｎｉｃ  Ｗ８２０洗濯機で８０ｇの無香料Ｐｅｒｓｉｌ織物用粉末洗剤を使用し４０℃の洗浄温度で洗濯した。織物類を遠心脱水し、次いでＭｉｅｌｅ  Ｎｏｖｏｔｒｏｎｉｃ  Ｔ４３タンブル乾燥機に移した。
【０１５１】
膜厚１６０μｍ、膜の細孔サイズ０．２μｍ及び膜面積１０８０ｍｍ２を有している、国際特許公開ＷＯ−Ａ１−０２／３３１６１の１６頁２６行から２０頁１２行に記載され図１、３及び４に図示されているディスペンスデバイスに３０ｇのサンプルを充填し、次いでタンブル乾燥機の扉の内面に取り付け、６０分間の“Ｃｏｔｔｏｎ  Ｅｘｔｒａ  Ｄｒｙ”乾燥サイクルを開始した。サイクルが終了すると織物類を取り出した。またタンブル乾燥機用シートを使用して比較評価を行った（各サイクルに一枚のタンブル乾燥機用シートを使用した）。
【０１５２】
標準Ｖｉｅｗｉｎｇ  Ｃａｂｉｎｅｔ（北半球の典型的な戸外光をシミュレートするＤ６５光）を使用し熟練の研究所員のパネルによって汚染を評価した。パネルは鋭い鑑識眼で様々な角度から観察しまた黒色背景のもとで観察することによって水性組成物の汚染を鑑定した。
【０１５３】
異なる指定がない限り、各サンプルを３回ずつ鑑定した。毎回の鑑定の間に織物を上述の条件で洗濯した。
【０１５４】
しみの数及びしみの大きさ／視認度に従って汚染を０−５の段階でランク付けした。段階０は汚染が全く無いことを表し、段階５は汚染がひどいことを表す。
【０１５５】
結果を以下の表３に示す。
【０１５６】
【表３】
2005522593.tif 000011
【０１５７】
配給評価
上述の方法に従って以下の組成物を調製した。
【０１５８】
【表４】
2005522593.tif 000012
【０１５９】
配給評価は以下のように行った。
【０１６０】
評価すべき約３０ｇのサンプルを上述のディスペンスデバイスに移した。次にデバイスをＭｉｅｌｅタンブル乾燥機の扉の内側に取り付け、６０分間の“Ｃｏｔｔｏｎ  ｅｘｔｒａ  ｄｒｙ”加熱サイクルを開始した。
【０１６１】
各サンプルについて、加熱サイクル中の種々の時点で配給された製品の量を測定した。
【０１６２】
６０分間のサイクル中に１−２ｇの範囲の製品が配給されるのが望ましい。この量よりも少ないと、織物に配給される有効成分の量が十分でない。この量よりも有意に多い量は汚染の問題を生じるであろう。
【０１６３】
配給された各サンプルの量を表５にグラムで表す。
【０１６４】
【表５】
2005522593.tif 000013
【０１６５】
サンプルＤ及びＥの場合、過剰量の製品が配給されたので約２０分後に配給を停止した。
【０１６６】
汚染評価
次に、表２に示した衣服に対する表４のサンプルの汚染評価を行った。評価は上述の実施例に記載の方法に従って行った。
【０１６７】
結果を表６に示す。
【０１６８】
【表６】
2005522593.tif 000014
【０１６９】
香料評価
また、サンプル４−８及び市販の標準タンブル乾燥機用シート（Ｂｏｕｎｃｅ、２００１年にＵＫで購入）を使用した１０回の洗濯・乾燥サイクルで香料評価を行った。
【０１７０】
等しい重量の木綿、ポリコットン、ポリエステル、ナイロン、アクリル、マイクロファイバモニター及びポンジーポリエステルモニターを混在させた１．５ｋｇの洗濯物を上述のように洗濯した。洗濯物を遠心脱水し、Ｈｏｔｐｏｉｎｔ  Ａｑｕａｒｉｕｓタンブル乾燥機に移し、次いで６０分間タンブルした。ディスペンスデバイスは所定位置に維持しておき再充填はしないでこのプロセスを１０回繰り返した。各サイクル後に洗濯物を取り出して評価し次いで洗濯し、１０サイクルが完了するまでこのサイクルを繰り返した。タンブル乾燥機用シートを含むサンプルについては各乾燥サイクルの前に新しいシートを導入した。
【０１７１】
サンプル４−８の各々を使用したとき、各乾燥サイクル後の織物類はタンブル乾燥機用シートでトリートメントした織物類よりも有意に強い香りを示した。
【０１７２】
追加の汚染評価
第四アンモニウム材料と油と非イオン性界面活性剤と任意の溶媒とをビーカーで計量しホットプレートに載せて溶融するまで加熱する（約７０℃）ことによって以下の組成物を調製した。次に溶融混合物を撹拌しながら所定量の熱水（同じく約７０℃）をゆっくりと加えた。香料を添加し、“透明な”液体が生じるまで撹拌を継続した。液体をびんに入れてまたは回転ブレンダーに載せて放冷した。
【０１７３】
【表７】
2005522593.tif 000015
【０１７４】
上記の配合物はいずれもタンブル乾燥機の加熱温度でマイクロエマルジョンを生成した。
【０１７５】
前述の実施例に記載の方法に従って汚染性能を評価した。結果を表８に示す。
【０１７６】
【表８】
2005522593.tif 000016
【国際調査報告】
2005522593.tif 000017
2005522593.tif 000018
2005522593.tif 000019